(57)【特許請求の範囲】
【請求項１】
レンズ系を有するレンズユニットを収納するプラスチック製の本体部材と、撮像素子を保持する保持部及び前記本体部材における前記レンズユニットを収納するための開口を塞ぐ蓋部を備えたプラスチック製の蓋部材と、前記レンズ系を光軸方向に駆動する駆動部材と、を備えたレンズ鏡筒において、
前記本体部材は、前群レンズを保持する前群保持部と、前記前群保持部から光軸方向後方に延び、両側面部と底面部とを有し、
前記蓋部は、前記保持部より低い剛性であり、
前記蓋部材の蓋部の第１の結合部は、光軸方向において前記保持部から最も離れた前記蓋部材の両側下部の前端位置に形成された圧入部であり、
前記本体部材における前記蓋部より高い剛性を有する第２の結合部は、前記両側面部のうち前記前群保持部の近傍に形成された圧入受け部であり、前記第２の結合部と前記第１の結合部は、圧入により相互結合されていることを特徴とするレンズ鏡筒。
【請求項２】
前記第２の結合部と前記第１の結合部の接合方向が、前記レンズ系の光軸方向であることを特徴とする請求項１に記載のレンズ鏡筒。
【請求項３】
前記第２の結合部と前記第１の結合部の接合方向が、前記レンズ系の光軸に直交する方向であることを特徴とする請求項１に記載のレンズ鏡筒。
【発明の詳細な説明】
【０００１】
【発明の属する技術分野】
本発明は、ビデオカメラやスチルカメラ等の光学装置に備えられるレンズ鏡筒に関するものである。
【０００２】
【従来の技術】
光学装置に備えられるレンズ鏡筒には、いわゆるモナカ構造を有するものがある。このレンズ鏡筒は、レンズ系を収納する本体部材と、この本体部材における光路形成用開口以外の開口を塞ぐ蓋部材とを有して構成される（図１参照）。本体部材には、レンズ系を光軸方向に駆動してズーミングやフォーカシングを行わせるためのモータが取り付けられる。
【０００３】
ところで、このようなモナカ構造のレンズ鏡筒に用いられる蓋部材のうち薄い板状に形成された部分は剛性が低い。このため、本体部材に取り付けられたモータが作動し、その振動が本体部材を介して蓋部材に伝わると、蓋部材のいわゆる太鼓作用ないし発振作用によって騒音が発生するという問題がある。
【０００４】
このような問題に対処するため、一般には、モータが発生する振動をダンピングする方法が採られる。例えば、本願図６および図７には、特開平９−３２５２５６号公報にて提案の振動ダンピングのための構成を示している。
【０００５】
これらの図において、鏡筒本体１１のモータ受け部１１ａとレンズ駆動モータ１４との間には防振部材１３が挟み込まれており、レンズ駆動モータ１４が作動してもその振動が鏡筒本体１１に大きく伝わらないようになっている。
【０００６】
【発明が解決しようとする課題】
しかしながら、上記のような振動ダンピング方法では、防振部材を用いる分、レンズ鏡筒全体の部品点数が増加し、組立工数も増加するという問題がある。
【０００７】
また、蓋部材自体を高い剛性を有する材料（金属等）で製作することも考えられるが、本体部材と蓋部材とをいずれもプラスチック等の同一材料で製作した場合に得られるコスト的な有利さや両部材の接合の簡易さ（接着剤を用いて簡単に接合することができる）を損なうおそれがある。
【０００８】
そこで、本発明は、部品点数や組立工数を増加させることなく、レンズ系駆動時の騒音発生を抑えることができるようにしたレンズ鏡筒を提供することを目的としている。
【０００９】
【課題を解決するための手段】
本発明の一側面としてのレンズ鏡筒は、レンズ系を有するレンズユニットを収納するプラスチック製の本体部材と、撮像素子を保持する保持部及び前記本体部材における前記レンズユニットを収納するための開口を塞ぐ蓋部を備えたプラスチック製の蓋部材と、前記レンズ系を光軸方向に駆動する駆動部材と、を備えたレンズ鏡筒において、前記本体部材は、前群レンズを保持する前群保持部と、前記前群保持部から光軸方向後方に延び、両側面部と底面部とを有し、前記蓋部は、前記保持部より低い剛性であり、前記蓋部材の蓋部の第１の結合部は、光軸方向において前記保持部から最も離れた前記蓋部材の両側下部の前端位置に形成された圧入部であり、前記本体部材における前記蓋部より高い剛性を有する第２の結合部は、前記両側面部のうち前記前群保持部の近傍に形成された圧入受け部であり、前記第２の結合部と前記第１の結合部は、圧入により相互結合されている。
【００１１】
これにより、特別な防振部材を用いたり蓋部材を高剛性材料で製作したりすることなく、低い蓋部材の剛性を本体部材の高剛性部分との結合によって高めることが可能となる。したがって、部品点数や製作コストを増加させたり組立作業性を悪化させたりすることなく、レンズ系の駆動時（駆動源の作動時）における騒音発生を効果的に抑えることが可能となる。
【００１２】
【発明の実施の形態】
（第１実施形態）
図１および図２には、本発明の第１実施形態であるレンズ鏡筒の構成を示している。なお、このレンズ鏡筒は、ビデオカメラ、スチルカメラその他の光学装置に備えられるものである。
【００１３】
これらの図において、１はプラスチックにより形成された本体部材である。この本体部材１は前群レンズ１０を保持する前群保持部１ｂと、この前群保持部１ｂから光軸方向後方に延び、両側面部と底面部とを有するレンズ系収納部１ｃとから構成されている。
【００１４】
レンズ系収納部１ｃの内部空間には、このレンズ系収納部１ｃの上面開口を通じて、第２群から第４群レンズをそれぞれ保持するレンズ保持枠３〜５とレンズ保持枠３，５を光軸方向にガイドするガイドバー９とからなるレンズユニットが収納される。
【００１５】
また、レンズ系収納部１ｃの底面部には、ズーミング時およびフォーカシング時にレンズ保持枠３，５をそれぞれ光軸方向に駆動するレンズ駆動モータ６，７が取り付けられる。
【００１６】
さらに、レンズ系収納部１ｃの内部空間には、このレンズ系収納部１ｃの底面部に形成された絞り挿入開口（図示せず）を通して、絞りユニット８の絞り開閉部分が挿入配置される。
【００１７】
２は本体部材１の上面開口を塞ぐ蓋部材であり、プラスチックにより形成されている。この蓋部材２は、薄い曲面板形状を有する蓋部２ｃと、この蓋部２ｃの光軸方向後端部に形成され、不図示のレンズやシャッターもしくはＣＣＤ等の撮像素子といった素子を保持する素子保持部２ｂとから構成されている。
【００１８】
そして、蓋部２ｃにおける両側下部の前端位置、すなわち素子保持部２ｂから最も離れ、特に剛性が低い部分には圧入部２ａが形成されており、本体部材１の両側面部のうち前群保持部１ｂの近傍、すなわち本体部材１の中で比較的高い剛性を有する部分の上端には圧入受け部１ａが形成されている。
【００１９】
蓋部材２における蓋部２ｃの下端部のうち圧入部２ａ以外の部分は、本体部材１の両側面部のうち圧入受け部１ａ以外の部分に対して接着剤を用いて接合固定される。この際、圧入部２ａは光軸直交方向（上方）から圧入受け部１ａに圧入される。これにより、蓋部材２のうち剛性が低い蓋部２ｃは、本体部材１の高剛性部分との圧入結合によって、その剛性が高められる。
【００２０】
したがって、鏡筒組立後においてレンズ駆動モータ６，７が駆動され、これらモータからの振動が本体部材１を介して蓋部材２に伝わっても、上記のように蓋部材２が高剛性化されているため、蓋部材２の発振作用等による騒音の発生を抑えることができる。
【００２１】
また、本体部材１の圧入受け部１ａを高い剛性を有する前群保持部１ｂの近傍に設けているため、圧入受け部１ａに対する蓋部材２の圧入部２ａの圧入により前群保持部１ｂ自体に形状変化が生じて光学性能が劣化してしまうことを防止できる。
【００２２】
（第２実施形態）
図３および図４には、本発明の第２実施形態であるレンズ鏡筒の本体部材と蓋部材とを示している。なお、本実施形態において、第１実施形態と共通する構成要素には第１実施形態と同符号を付す。
【００２３】
１′はプラスチックにより形成された本体部材である。この本体部材１′は前群レンズ１０を保持する前群保持部１ｂ′と、この前群保持部１ｂ′から光軸方向後方に延び、両側面部と底面部とを有するレンズ系収納部１ｃ′とから構成されている。
【００２４】
レンズ系収納部１ｃ′の内部空間には、このレンズ系収納部１ｃ′の上面開口を通じて、第１実施形態にて説明したレンズユニットや絞りユニット８の絞り開閉部分が収納される。
【００２５】
また、レンズ系収納部１ｃ′の底面部には、第１実施形態にて説明したレンズ駆動モータ６，７が取り付けられる。
【００２６】
２′は本体部材１′の上面開口を塞ぐ蓋部材であり、プラスチックにより形成されている。この蓋部材２′は、薄い曲面板形状を有する蓋部２ｃ′と、この蓋部２ｃ′の光軸方向後端部に形成され、不図示のレンズやシャッターもしくはＣＣＤ等の撮像素子といった素子を保持する素子保持部２ｂ′とから構成されている。
【００２７】
そして、蓋部２ｃ′における前端両側の下部、すなわち素子保持部２ｂ′から最も離れ、特に剛性が低い部分には圧入部２ａ′が突出形成されており、本体部材１′のうち前群保持部１ｂ′の後面、すなわち本体部材１の中で最も高い剛性を有する部分には圧入受け部１ａ′が形成されている。
【００２８】
蓋部材２′における蓋部２ｃの下端部は、本体部材１′の両側面部の上端部に対して接着剤を用いて接合固定される。この際、圧入部２ａ′は光軸方向（後方）から圧入受け部１ａ′に圧入される。これにより、蓋部材２′のうち剛性が低い蓋部２ｃ′は、本体部材１′の高剛性部分との圧入結合によって、その剛性が高められる。
【００２９】
したがって、鏡筒組立後においてレンズ駆動モータ６，７が駆動され、これらモータからの振動が本体部材１′を介して蓋部材２′に伝わっても、上記のように蓋部材２′が高剛性化されているため、蓋部材２′の発振作用等による騒音の発生を抑えることができる。
【００３０】
また、本体部材１′の圧入受け部１ａ′を高い剛性を有する前群保持部１ｂ′に設けているため、圧入受け部１ａ′に対する蓋部材２′の圧入部２ａ′の圧入により前群保持部１ｂ′自体に形状変化が生じて光学性能が劣化してしまうことを防止できる。
【００３１】
（参考形態）
図５には、本発明の参考形態としてレンズ鏡筒の構成を示している。なお、本参考形態において、第１実施形態と共通する構成要素には第１実施形態と同符号を付す。
【００３２】
これらの図において、１″はプラスチックにより形成された本体部材である。この本体部材１″は前群レンズ１０を保持する前群保持部１ｂ″と、この前群保持部１ｂ″から光軸方向後方に延び、両側面部と底面部とを有するレンズ系収納部１ｃ″とから構成されている。
【００３３】
レンズ系収納部１ｃ″の内部空間には、第１実施形態にて説明したレンズユニットおよび絞りユニット８の絞り開閉部分が収納される。
【００３４】
また、レンズ系収納部１ｃ″の底面部には、第１実施形態にて説明したレンズ駆動モータ６，７が取り付けられる。
【００３５】
２″は本体部材１″の上面開口を塞ぐ蓋部材であり、プラスチックにより形成されている。この蓋部材２″は、薄い曲面板形状を有する蓋部２ｃ″と、この蓋部２ｃ″の光軸方向後端部に形成され、不図示のレンズやシャッターもしくはＣＣＤ等の撮像素子といった素子を保持する素子保持部２ｂ″とから構成されている。
【００３６】
そして、蓋部２ｃ″における両側下部の前端外側位置、すなわち素子保持部２ｂ″から最も離れ、特に剛性が低い部分には係合受け部２ａ″が形成されており、本体部材１″の両側面部のうち前群保持部１ｂ″の近傍、すなわち本体部材１″の中で比較的高い剛性を有する部分の上端には係合爪部１ａ″が形成されている。
【００３７】
蓋部材２″における蓋部２ｃ″の下端部は、本体部材１の両側面部の上端部に対して接着剤を用いて接合固定される。この際、蓋部２ｃ″等の弾性変形を利用して、係合受け部２ａ″は光軸直交方向（上方）から係合爪部１ａ″に係合される。これにより、蓋部材２″のうち剛性が低い蓋部２ｃ″は、本体部材１″の高剛性部分との係合によって、その剛性が高められる。
【００３８】
したがって、鏡筒組立後においてレンズ駆動モータ６，７が駆動され、これらモータからの振動が本体部材１″を介して蓋部材２″に伝わっても、上記のように蓋部材２″が高剛性化されているため、蓋部材２″の発振作用等による騒音の発生を抑えることができる。
【００３９】
また、本体部材１″の係合爪部１ａ″を高い剛性を有する前群保持部１ｂ″の近傍に設けているため、係合爪部１ａ″に対する蓋部材２″の係合部２ａ″の係合により前群保持部１ｂ″自体に形状変化が生じて光学性能が劣化してしまうことを防止できる。
【００４０】
なお、以上各実施形態にて説明した本体部材と蓋部材との圧入又は係合結合部の位置や形状は例に過ぎず、同様の機能を有するものであれば位置や形状はどのようなものであってもよい。
【００４１】
【発明の効果】
以上説明したように、本発明によれば、本体部材における高剛性部分と蓋部材とに圧入若しくは係合により相互結合される結合部を構成しているので、特別な防振部材を用いたり蓋部材を高剛性材料で製作したりすることなく、低い蓋部材の剛性を本体部材の高剛性部分との結合によって高めることができる。したがって、部品点数や製作コストを増加させたり組立作業性を悪化させたりすることなく、レンズ系の駆動時（駆動源の作動時）における騒音発生を効果的に抑えることができる。
【図面の簡単な説明】
【図１】本発明の第１実施形態であるレンズ鏡筒の分解斜視図。
【図２】上記レンズ鏡筒の組立状態の側面図（一部断面図）。
【図３】本発明の第２実施形態であるレンズ鏡筒の本体部材と蓋部材の分解斜視図。
【図４】上記第２実施形態であるレンズ鏡筒の本体部材と蓋部材の分解斜視図。
【図５】  本発明の参考形態であるレンズ鏡筒の本体部材と蓋部材の分解斜視図。
【図６】従来のレンズ鏡筒の側面図（一部断面図）。
【図７】従来のレンズ鏡筒の分解斜視図。
【符号の説明】
１，１′，１″  本体部材
１ａ，１ａ′  圧入受け部
１ａ″  係合爪部
１ｂ，１ｂ′，１ｂ″  前群保持部
２，２′，２″  蓋部材
２ａ，２ａ′  圧入部
２ａ″  結合受け部
２ｂ，２ｂ′，２ｂ″  素子保持部
３，４，５  レンズ保持枠
６，７  レンズ駆動モータ
８  絞りユニット
【図１】
0004473988.tif 000002
【図２】
0004473988.tif 000003
【図３】
0004473988.tif 000004
【図４】
0004473988.tif 000005
【図５】
0004473988.tif 000006
【図６】
0004473988.tif 000007
【図７】
0004473988.tif 000008